(57)【要約】【課題】本発明は、車椅子使用者自らが必要に応じて車椅子に乗った状態のままで容易に開口幅を広げる操作ができ、しかも通常の片引戸と同等のプライバシーの確保が可能で、健常者の使用にも支障がない引戸構造を提供することを目的とする。【解決手段】片引形式の戸２０と枠体１０とからなり、前記戸２０は、前記枠体１０の引き込み部１６側に配置される第１の戸２１と、前記枠体１０の開口部１７側に配置される第２の戸２２と、からなり、前記第１の戸２１は、前記枠体１０の引き込み代以上の幅を有するとともに、前記枠１０を構成する上枠１１と下枠１２のガイド１１ａ、１２ａにけんどん式に嵌め込まれて摺動し、前記第２の戸２２は、前記第１の戸２１と横手同士を対向させた状態で丁番で連結され、該丁番を軸として略１８０°回動して前記第１の戸２１と重なり得るように構成した。【選択図】図２
2008045340.tif 000002
【特許請求の範囲】
【請求項１】
片引形式の戸と枠体とからなり、
前記戸は、前記枠体の引き込み部側に配置される第１の戸と、前記枠体の開口部側に配置される第２の戸と、からなり、
前記第１の戸は、前記枠体の引き込み代以上の幅を有するとともに、前記枠体を構成する上枠と下枠のガイド部にけんどん式に嵌め込まれて摺動し、
前記第２の戸は、前記第１の戸と横手同士を対向させた状態で丁番で連結され、該丁番を軸として略１８０°回動して前記第１の戸と重なり得るように構成したことを特徴とする引戸構造。
【発明の詳細な説明】
【技術分野】
【０００１】
本発明は、建物内部の間仕切り壁に設置する引戸形式の建具構造に関するものである。
【背景技術】
【０００２】
従来から、車椅子使用者が居住、あるいは利用する建物の間仕切壁に出入用の建具を設置する場合、開き戸形式よりも開閉の際の移動量が少なくて済み、幅の狭い廊下などでも利用しやすい引戸形式の建具を採用することが好ましいとされている。
【０００３】
しかし、引戸は開口幅を確保するために戸の引き込み代を確保する必要や、開放状態の戸を閉めるための取手を設ける引き残し部分を確保する必要があるので、住宅のように比較的小規模でありながら目的に応じて室内空間を間仕切壁等で細かく分割して使用する必要のある建物の場合、所望の開口幅が確保できず出入りに支障をきたすことがあった。
【０００４】
特許文献１においてこのような問題を解決し得る出入口構造の提案がなされている。特許文献１に開示された出入口構造は、幅寸法の異なる親戸と子戸とが引き違いに設けられたものであり、普段は通常の片引戸として使用でき、親戸と子戸とを取り外すことにより出入口の充分な開口幅を確保することができるように構成されている。
【０００５】
【特許文献１】特開２００１−２０７６６２号公報
【発明の開示】
【発明が解決しようとする課題】
【０００６】
しかしながら、特許文献１の出入口構造は、戸を枠体に嵌め込んだままの状態で開口幅を広げることができず、開口幅を広げる際にはその都度親戸と子戸の双方を枠体から取り外さなくてはならず手間がかかるという問題があり、しかもこの作業は車椅子使用者自らが行ない得るものではなく、介護者等の存在なしには使用できないという問題もあった。  また、特許文献１の中で想定している使用形態の通り、車椅子使用者のために戸を外したままとし、カーテン等の簡易な手段で遮蔽した場合、プライバシーが充分に確保できないという問題があった。
【０００７】
本発明は、上記従来技術の問題点を解決し、車椅子使用者自らが必要に応じて車椅子に乗った状態のままで容易に開口幅を広げる操作ができ、しかも通常の片引戸と同等のプライバシーの確保が可能で、健常者の使用にも支障がない引戸構造を提供することを目的とする。
【課題を解決するための手段】
【０００８】
本発明に係る引戸構造は、片引形式の戸と枠体とからなり、前記戸は、前記枠体の引き込み部側に配置される第１の戸と前記枠体の開口部側に配置される第２の戸とからなり、前記第１の戸は、前記枠体の引き込み代以上の幅を有するとともに、前記枠体を構成する上枠と下枠のガイド部にけんどん式に嵌め込まれて摺動し、前記第２の戸は、前記第１の戸と横手同士を対向させた状態で丁番で連結され、該丁番を軸として略１８０°回動して前記第１の戸と重なり得るように構成したことを特徴とする。
【発明の効果】
【０００９】
本発明の引戸構造によれば、戸が第１の戸と第２の戸に分割され、枠体の開口部側に突出した部分を丁番を軸として折り畳むことができるので、戸の引き込み代が充分確保できない場合であっても、枠体の開口幅を大きく取ることができ車椅子使用者の出入りを容易に行なうことができる。
【００１０】
また、開口幅を広げるにあたり特に大掛かりな作業が必要なく、手の機能に障害を持たない車椅子使用者の生活の自立を促すことができる。
【００１１】
さらに、通常は一般の引戸形式の建具と同様の使い方が可能であり、プライバシーの確保という点において一般の引戸形式の建具に劣るものではないので、健常者であっても車椅子使用者であっても支障なく快適に使用することができる。
【発明を実施するための最良の形態】
【００１２】
以下、本発明に係る引戸構造の最良の形態について説明する。本発明は、従来の一般的な引戸構造を構成する戸に対し軽微な変更を加えることによって、車椅子使用者にとっても健常者にとっても使い勝手のよい引戸構造を実現したものである。
【００１３】
本発明の引戸構造を構成する枠体は、上枠、下枠、方立（垂直な左右の枠）、及び中方立（中間部の垂直な枠）からなる一般的な片引戸用の枠体と同一の構成でよい。但し、所望の開口幅が得られるように中方立の位置設定がなされる必要がある。
【００１４】
一般的な片引戸用の枠体と同様、上下の枠には戸の摺動時のガイドとなる溝、レール等を備えており、バリアフリー化の為、下枠やガイドによって床に段差を生じることがないように構成することが好ましい。戸を廊下と便所等の部屋との境界部に設置する場合、戸が間仕切壁の廊下側の面に沿って摺動するように構成しても部屋側の面に沿って摺動するように構成してもよい。
【００１５】
本発明の引戸構造を構成する戸は、枠の引き込み部側に配置される第１の戸と、該枠の開口部側に配置される第２の戸との組み合わせで構成される。
【００１６】
第１の戸は、上端部と下端部が上下の枠の溝やレール等からなるガイドに嵌め込まれガイドに沿って摺動する、一般的な片引き形式の戸である。
【００１７】
上端部は上枠の溝の幅に対応した欠き込み部を形成したり、突出部を設けるなどする。下端部は、単純に戸の厚みに対応した下枠の溝にはめこんで下端面が溝の底面上を滑動する形式でもよいし、戸車を取り付けて下枠のレール上を戸車が移動する形式でもよい。但しバリアフリー化の為には、外周部の断面がＶ字状の戸車を取り付け、これをＶ字状の幅の狭い溝（Ｖレール）の上で走らせるのが溝の段差の影響が少なく好ましい。
【００１８】
第１の戸の幅は、枠体の引き込み代と同じかそれよりも大きく設定すればよいが、枠体の開口幅を最大限有効に活用する為には枠体の引き込み代と同じ、即ち戸を完全に引き込んだ場合に戸の横手と中方立のツラがほぼ揃うようにするのが好ましい。
【００１９】
第２の戸は、第１の戸と丁番によって連結されて第１の戸の移動に連動し、一直線の状態では横手同士が対向して第１の戸と面が揃い、丁番を回動の軸として折り畳まれた状態では第１の戸と同じ側の面同士が対向して重なるように構成する。従って、欠き込み部や戸車を設けず、上下枠のガイドとは縁を切り自由に回動するように構成する。そして、通常の使用時には第２の戸は折り畳まず、第１の戸と一直線の状態で一般の引戸と同様の方法で開閉し、車椅子使用者の出入り等の際には折り畳んで開口幅を広げて使用する。
【００２０】
第２の戸の幅は特に限定されるものではないが、丁番を軸に回動した際に第２の戸が室内の備品との干渉がなく、また車椅子使用者が身体や車椅子を退避させる必要がないように設定する必要がある。
【００２１】
第１の戸と第２の戸との連結に使用する丁番は特に限定されるものではないが、連結部に大きな隙間が生じることがなく意匠的にも優れたかくし丁番が好ましい。
【００２２】
第１の戸と第２の戸との連結部の隙間がプライバシーを損なう場合には、その対策として、横手面に凹凸を設けて該凹凸が噛み合うように構成するのが好ましい。
【００２３】
また、折り畳んだ状態で丁番を軸とした第２の戸の遊動を防止する機構を備えているのが好ましい。但し、第２の戸を折り畳んだ状態は一時的なもので、しかも大きな力が加わるということもないので、マグネットキャッチ、テープファスナ（例えばマジックテープ（登録商標））、吸盤など簡易で比較的弱い拘束力で動きを規制すれば十分である。
【００２４】
同様に、折り畳んでない一直線の状態での戸の遊動の防止機構を備えているのが好ましい。この場合は、第２の戸の引き手を把持して第１の戸を移動させるので防止機構に比較的大きな力が作用し、また、車椅子使用者が出入りする時以外は常時一直線の状態にあるので防止機構としては、安定して一直線の状態を維持し得るものが好ましい。例えば〔１〕閂（かんぬき）や鎌錠を横手に取り付けて連結、解除を行なう、〔２〕比較的磁力の大きなマグネットを横手に取り付ける、等の方法が考えられる。
【００２５】
本発明の引戸構造は、出入口用の建具構造に限らず、収納部用の建具構造にも展開が可能である。
【実施例】
【００２６】
次に本発明の引戸構造の実施例について図を用いて説明する。本実施例は、住宅の廊下から便所に出入りするための出入口に本発明にかかる引戸構造を適用したものである。図１は引戸構造を用いた住宅の部分的な平面図、図２は引戸構造の斜視図、図３は引戸構造の横断面図、図４は引戸構造の縦断面図、図５は引戸構造の正面図、図６はかくし丁番の斜視図である。また、図７に図３の部分拡大図を示す。
【００２７】
引戸構造１は枠体１０と戸２０とで構成され、枠体１０は廊下２と便所３を仕切る間仕切壁４に固定されている。
【００２８】
枠体１０は、上枠１１、下枠１２、方立１３、１４、及び中方立１５からなり、戸２０が便所３側を摺動するように構成されている。上枠１１の下面には、戸２０を摺動させる場合の上部ガイドとしての溝１１ａが長手方向に形成されている。下枠１２は、上面が床５の仕上げ面とほぼ同一となるように床５に埋め込まれ、上面の長手方向に形成された溝１２ａには、戸２０の下部ガイドとしての金属製のＶレール１２ｂが収容されている。方立１３、１４は、間仕切り壁４のうちの一般部の間仕切壁４ａの厚さに対応した幅を有し、中方立１５は間仕切り壁４のうちの引き込み部１６の間仕切壁４ｂの厚みに対応した幅を有する。方立１３の端面からと中方立１５の端面までの寸法が枠の開口部１７の幅Ｗａであり、車椅子使用者が車椅子に騎乗した状態で出入り可能な寸法に設定されている。また、方立１４の端面から中方立１５の端面までの寸法が引き込み部１６の幅（引き込み代）Ｗｂである。
【００２９】
戸２０は、枠体１０の引き込み部１６側に配置される第１の戸２１と、該枠体１０の開口部１７側に配置される第２の戸２２とで構成されている。
【００３０】
第１の戸２１の幅Ｗ１は、引き込み部１６の引き込み代Ｗｂに等しくなるように設計されている。第１の戸２１の上端面には上枠１１に形成された溝１１ａに対応した突出片２１ａが設けられ、下端面には下枠１２の溝１２ａに収容されたＶレール１２ｂに対応した形状の車を有する戸車２１ｂが２ケ設けられている。
【００３１】
第２の戸２２は、幅がＷ２であり、第１の戸２１と同一の厚みと見かけの高さ（上下の枠に嵌り込んでいる部分以外の高さ）を有し、同一の仕上げが施され、かくし丁番２３で連結されている。かくし丁番２３は夫々の戸の横手２１ａ、２２ａをえぐって埋めこんであり、第２の戸２２が第１の戸２１と一直線の状態から折り畳まれて第１の戸２１と重なり合った状態まで回動自在に連結されている。第２の戸２２の廊下２側の面には大型の引き手２５が設けられている。
【００３２】
第１の戸２１と第２の戸２２とは、通常は一直線状態で使用される。尚、第２の戸２２の遊動を防止し、戸２０の一直線状態を維持するために、かくし丁番２３には図６に示すような閂機構が内蔵されている。閂機構は、操作つまみ２４ｂを回して操作つまみ２４ｂに連結した軸２４ｄの先端部のピニオンギアを回転させ、該ピニオンギアと噛み合うラックギアが形成された閂棒２４ａを突出させて孔２４ｃに嵌め込み第１の戸２１と第２の戸２２との一直線状態を維持することができる。この状態で戸２０を引き込むと、丁度第２の戸２２が中方立１５の端面から突出し、開口部１７の有効な幅は（Ｗａ−Ｗ２）となる。
【００３３】
この状態から開口部１７の有効な幅を広げたい場合には、戸２０を引き込んだ状態で操作つまみ２４ｂを回して閂棒２４ａを孔２４ｃから抜き出すことで第２の戸２２を回動自在とし、第２の戸２２を折り畳み第１の戸２１に重ねる（あるいは、第２の戸２２を折り畳み第１の戸２１に重ねた状態とした後に引き込んでもよい。）。このように第２の戸２２を折り畳んだ状態を維持して戸２０を引き込んでおくことにより、開口部１７の有効な幅はＷ２だけ広がってＷａとなり、車椅子に乗った状態での進入が容易になる。
【００３４】
便所３の内部に進入した後は、第２の戸２２をのばして第１の戸２１と一直線状態になるようにした上で戸２０を閉じる。便所３から退出する場合は、進入する際と同様の要領で戸２０を開放する。こうすることで、進入時と同様に車椅子に乗った状態で容易に退出できる。
【００３５】
尚、第１の戸２１と第２の戸２２とが折り畳まれた状態で対向する位置には、マグネットキャッチ２６が内蔵されており、第２の戸２２が折り畳まれた状態での遊動を防止している。第１の戸２１の厚さ方向の移動は、ガイドである溝１１ａやＶレール１２ｂによって制限されているので、折り畳まれた第２の戸をのばし一直線状態にもどす作業は、第２の戸２２のみを把持し第１の戸２１から引き離すことで容易に行なうことができる。
【図面の簡単な説明】
【００３６】
【図１】本発明の引戸構造を用いた住宅の部分平面図である。
【図２】図１の引戸構造の斜視図である。
【図３】図１の引戸構造の横断面図である。
【図４】図１の引戸構造の縦断面図である。
【図５】図１の引戸構造の正面図である。
【図６】本発明に用いるかくし丁番の一例の斜視図である。
【図７】図３の引戸構造の部分拡大図である。
【符号の説明】
【００３７】
２  廊下
３  便所
４  間仕切壁
４ａ  一般部の間仕切壁
４ｂ  引き込み部の間仕切壁
５  床
１０  枠体
１１  上枠
１１ａ  溝
１２  下枠
１２ａ  溝
１２ｂ  Ｖレール
１３  方立
１４  方立
１５  中方立
１６  引き込み部
１７  開口部
２０  戸
２１  第１の戸
２１ａ  横手
２１ｂ  戸車
２２  第２の戸
２２ａ  横手
２３  丁番（かくし丁番）
２４ａ  閂棒
２４ｂ  操作つまみ
２４ｃ  孔
２４ｄ  軸
２５  引き手
２６  マグネットキャッチ
２６ａ  マグネットキャッチ本体
２６ｂ  マグネットキャッチ受け座
【図１】
2008045340.tif 000003
【図２】
2008045340.tif 000004
【図３】
2008045340.tif 000005
【図４】
2008045340.tif 000006
【図５】
2008045340.tif 000007
【図６】
2008045340.tif 000008
【図７】
2008045340.tif 000009